【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
透明記録材を用いて印刷される画像データの送信先である装置の印刷能力を識別する識別手段と、
前記識別手段により、前記送信先である装置が前記透明記録材を用いて印刷を行う機能を有していないと識別された場合、
前記透明記録材を用いて印刷される画像データをカラーの記録材を用いて印刷物に印刷する画像データに変換する変換手段を有し、
前記印刷物がスキャンされると、前記画像データを構成するドットが下地飛ばし処理のため除去されることを特徴とする画像処理装置。
【請求項２】
透明記録材を用いて印刷される画像データの送信先である装置の印刷能力を識別する識別手段と、
該画像データに付加されたレベルを判断する判断手段と、
前記判断手段により判断されたレベルを満たし、前記画像データを前記送信先である装置が印刷できる画像データに変換する変換手段と、
を有することを特徴とする画像処理装置。
【請求項３】
前記変換手段にて変換された画像データのうち、予め設定された優先モードを用いて選択された画像データが、該送信先である装置にて印刷出力されることを特徴とする請求項２に記載の画像処理装置。
【請求項４】
前記識別手段により、前記送信先である装置が前記透明記録材を用いて印刷を行う機能を有していないと識別された場合であり、前記画像データに付加されたレベルが前記変換手段による変換処理を許可しない場合、
前記変換手段による変換処理を行わないで前記透明記録材を用いて印刷される画像データを印刷しないことを特徴とする請求項２に記載の画像処理装置。
【請求項５】
入力された画像データが透明記録材を用いて印刷を行う画像データか否か判定する判定手段と、
前記判定手段により、前記入力された画像データが透明記録材を用いて印刷を行う画像データであると判定されると該画像データに付加されたレベルを判断する判断手段と、
前記入力された画像データを、前記判断手段によって判断されたレベルを満たし、前記入力された画像データの送信先である装置により印刷できる画像データのうち、予め設定された優先モードを用いて選択された画像データへ変換する変換手段と、
前記変換手段にて変換された画像データを出力する出力手段と、
を有することを特徴とする画像処理装置。
【請求項６】
前記優先モードには、コピー抑止を優先するモード、画質を優先するモード、コストを優先するモードを含むことを特徴とする請求項３または５に記載の画像処理装置。
【請求項７】
前記変換手段により変換される画像データには、前記透明記録材を用いて印刷される画像データをカラーの記録材を用いて印刷物に印刷する画像データに変換し、該印刷物がスキャンされると、前記画像データを構成するドットが下地飛ばし処理のため除去される画像データ、若しくは潜像部と背景部とを含む地紋印字により形成される画像データ、若しくはスタンプ印字により形成される画像データ、のうち少なくとも１つを含むことを特徴とする請求項２乃至５に記載の画像処理装置。
【請求項８】
前記判断手段にて画像データに付加されたレベルを判断する際、前記画像データに含まれる文字列に予め登録されている情報からレベルを判断することを特徴とする請求項２または５に記載の画像処理装置。
【請求項９】
透明記録材を用いて印刷される画像データの送信先である装置の印刷能力を識別する識別ステップと、
前記識別ステップにより、前記送信先である装置が前記透明記録材を用いて印刷を行う機能を有していないと識別された場合、
前記透明記録材を用いて印刷される画像データをカラーの記録材を用いて印刷物に印刷する画像データに変換する変換ステップを有し、
前記印刷物がスキャンされると、前記画像データを構成するドットが下地飛ばし処理のため除去されることを特徴とする画像処理装置の制御方法。
【請求項１０】
透明記録材を用いて印刷される画像データの送信先である装置の印刷能力を識別する識別ステップと、
該画像データに付加されたレベルを判断する判断ステップと、
前記判断ステップにより判断されたレベルを満たし、前記画像データを前記送信先である装置が印刷できる画像データに変換する変換ステップと、
を有することを特徴とする画像処理装置の制御方法。
【請求項１１】
前記変換ステップにて変換された画像データのうち、予め設定された優先モードを用いて選択された画像データが、該送信先である装置にて印刷出力されることを特徴とする請求項１０に記載の画像処理装置の制御方法。
【請求項１２】
前記識別ステップにより、前記送信先である装置が前記透明記録材を用いて印刷を行う機能を有していないと識別された場合であり、前記画像データに付加されたレベルが前記変換ステップによる変換処理を許可しない場合、
前記変換ステップによる変換処理を行わないで前記透明記録材を用いて印刷される画像データを印刷しないことを特徴とする請求項１０に記載の画像処理装置の制御方法。
【請求項１３】
入力された画像データが透明記録材を用いて印刷を行う画像データか否か判定する判定ステップと、
前記判定ステップにより、前記入力された画像データが透明記録材を用いて印刷を行う画像データであると判定されると該画像データに付加されたレベルを判断する判断ステップと、
前記入力された画像データを、前記判断ステップによって判断されたレベルを満たし、前記入力された画像データの送信先である装置により印刷できる画像データのうち、予め設定された優先モードを用いて選択された画像データへ変換する変換ステップと、
前記変換ステップにて変換された画像データを出力する出力ステップと、
を有することを特徴とする画像処理装置の制御方法。
【請求項１４】
前記優先モードには、コピー抑止を優先するモード、画質を優先するモード、コストを優先するモードを含むことを特徴とする請求項１１または１３に記載の画像処理装置の制御方法。
【請求項１５】
前記変換ステップにより変換される画像データには、前記透明記録材を用いて印刷される画像データをカラーの記録材を用いて印刷物に印刷する画像データに変換し、該印刷物がスキャンされると、前記画像データを構成するドットが下地飛ばし処理のため除去される画像データ、若しくは潜像部と背景部とを含む地紋印字により形成される画像データ、若しくはスタンプ印字により形成される画像データ、のうち少なくとも１つを含むことを特徴とする請求項１０乃至１３に記載の画像処理装置の制御方法。
【請求項１６】
前記判断ステップにて画像データに付加されたレベルを判断する際、前記画像データに含まれる文字列に予め登録されている情報からレベルを判断することを特徴とする請求項１０または１３に記載の画像処理装置の制御方法。
【請求項１７】
請求項９乃至１６に記載の画像処理装置の制御方法をコンピュータに実行させるためのプログラム。
【手続補正２】
【補正対象書類名】明細書
【補正対象項目名】００２３
【補正方法】変更
【補正の内容】
【００２３】
上述した課題を解決するため、本願の画像処理装置は、
透明記録材を用いて印刷される画像データの送信先である装置の印刷能力を識別する識別手段と、
前記識別手段により、前記送信先である装置が前記透明記録材を用いて印刷を行う機能を有していないと識別された場合、
前記透明記録材を用いて印刷される画像データをカラーの記録材を用いて印刷物に印刷する画像データに変換する変換手段を有し、
前記印刷物がスキャンされると、前記画像データを構成するドットが下地飛ばし処理のため除去されることを特徴とする。
さらに、本願の画像処理装置は、透明記録材を用いて印刷される画像データの送信先である装置の印刷能力を識別する識別手段と、該画像データに付加されたレベルを判断する判断手段と、前記判断手段により判断されたレベルを満たし、前記画像データを前記送信先である装置が印刷できる画像データに変換する変換手段とを有することを特徴とする。
また、本願の画像処理装置は、入力された画像データが透明記録材を用いて印刷を行う画像データか否か判定する判定手段と、前記判定手段により、前記入力された画像データが透明記録材を用いて印刷を行う画像データであると判定されると該画像データに付加されたレベルを判断する判断手段と、前記入力された画像データを、前記判断手段によって判断されたレベルを満たし、前記入力された画像データの送信先である装置により印刷できる画像データのうち、予め設定された優先モードを用いて選択された画像データへ変換する変換手段と、前記変換手段にて変換された画像データを出力する出力手段と、を有することを特徴とする。